(57)【要約】【課題】一つの吊下げ容器によって複数の薬剤の効果を発揮させるとともに、使用時以外にはサイズを小さくすることが可能な吊下げ容器を提供する。【解決手段】内部に収納した薬剤の気化ガスを外部へと放散させる放散面２６、３６を有する複数の容器体２０、３０と、これらの複数の容器体２０、３０を吊下げ支持するフック部１１とを備え、複数の容器体２０、３０及びフック部１１は、それぞれ連結部１２、１３によって互いに積み重ね可能となるようにこの連結部１２、１３回りに回転自在に連結されるとともに、複数の容器体２０、３０において、これらを積み重ねたときに互いに重なり合う各重ね合わせ面は、該重ね合わせ面に対向する方向から見て同形同大に構成されていることを特徴とする。【選択図】図１
2008030828.tif 000002
【特許請求の範囲】
【請求項１】
内部に収納した薬剤の気化ガスを外部へと放散させる放散面を有する複数の容器体と、これらの複数の容器体を吊下げ支持するフック部とを備え、
前記複数の容器体及び前記フック部は、それぞれ連結部によって互いに積み重ね可能となるようにこの連結部回りに回転自在に連結されるとともに、
前記複数の容器体において、これらを積み重ねたときに互いに重なり合う各重ね合わせ面は、該重ね合わせ面に対向する方向から見て同形同大に構成されていることを特徴とする吊下げ容器。
【請求項２】
前記連結部は、前記容器体及び前記フック部の積み重ね方向に延びる回転軸を有しており、前記容器体及び前記フック部を前記積み重ね方向と交差する方向に回転することで開閉可能に構成されていることを特徴とする請求項１に記載の吊下げ容器。
【請求項３】
前記複数の容器体の一つには、一の薬剤が収納され、残りの容器体の少なくとも一つには、他の薬剤が収納されていることを特徴とする請求項１又は請求項２に記載の吊下げ容器。
【発明の詳細な説明】
【技術分野】
【０００１】
本発明は、内容物を収納した容器体を吊下げ支持するフック部を備えた吊下げ容器に関するものである。
【背景技術】
【０００２】
この種の吊下げ容器として、例えば特許文献１に示されるように、内部に収納された薬剤の気化ガスを外部へと放散させる放散面を備えた容器体と、この容器体の上部にフック部が設けられたものが提供されている。この吊下げ容器は、内部に例えば防虫剤が収納され、洋服タンス等に横設されたロッドに前記フック部を掛止することにより容器体を吊下げた状態で配置し、容器体の内部に収納された薬剤が揮発又は昇華して放散面から放散され、洋服タンス内の害虫を駆除するものである。
【特許文献１】特開２００１−１９７９９９号公報
【発明の開示】
【発明が解決しようとする課題】
【０００３】
ところで、この種の吊下げ容器においては、防虫剤等の薬剤を揮発又は昇華させて放散させているので、一般的に一つの容器体には一種類の薬剤のみが収納されることになる。したがって、例えば、防虫剤、消臭剤、芳香剤等の複数の薬剤を洋服タンス内に配置したり、より多くの薬剤を使用する必要がある場合には、複数の吊下げ容器を配置する必要があった。
また、前述の吊下げ容器においては、薬剤を容器体から効率良く放散させるために、容器体の放散面を大きくする必要がある。これに加えて、フック部が容器体から突出するように設けられているので、吊下げ容器全体のサイズが大きくなり、輸送時や保管時にかさばってしまうといった問題があった。
【０００４】
本発明は、前述した事情に鑑みてなされたものであって、一つの吊下げ容器によって複数の薬剤の効果を発揮させたり、より多くの薬剤を放散させるとともに、使用時以外にはサイズを小さくすることが可能な吊下げ容器を提供することを目的とする。
【課題を解決するための手段】
【０００５】
この課題を解決するために、本発明の吊下げ容器は、内部に収納した薬剤の気化ガスを外部へと放散させる放散面を有する複数の容器体と、これらの複数の容器体を吊下げ支持するフック部とを備え、前記複数の容器体及び前記フック部は、それぞれ連結部によって互いに積み重ね可能となるようにこの連結部回りに回転自在に連結されるとともに、前記複数の容器体において、これらを積み重ねたときに互いに重なり合う各重ね合わせ面は、該重ね合わせ面に対向する方向から見て同形同大に構成されていることを特徴としている。
【０００６】
この構成の吊下げ容器においては、複数の容器体を備え、各容器体にそれぞれ薬剤を収納しているので、一つの吊下げ容器でより多くの薬剤を放散させたり、複数の薬剤の効果を発揮させたりすることができる。
また、連結部回りに回転させることで互いに積み重ね可能に構成されているので、フック部で吊下げ支持して使用する場合には複数の前記容器体のそれぞれの重ね合わせ面を外部に向けることができ、この重ね合わせ面に放散面を設けることでそれぞれの容器体に収納された薬剤を効率的に揮発又は昇華させて放散させることができる。さらに、吊下げ容器を使用しないときには、複数の容器体及びフック部を互いに積み重ねることができ、吊下げ容器のサイズを小さくすることができる。
さらに、前記複数の容器体の一つには、一の薬剤が収納され、残りの容器体の少なくとも一つには、他の薬剤を収納させることができ、複数の薬剤の効果を総合的に発揮させることができる。
【０００７】
ここで、前記連結部を、前記容器体及び前記フック部の積み重ね方向に延びる回転軸を有するものとし、前記容器体及び前記フック部を前記積み重ね方向と交差する方向に回転させることで開閉可能な構成としてもよい。
この場合、容器体及びフック部を互いに回転させることで開閉させることができ、取り扱いが容易となる。
【発明の効果】
【０００８】
本発明に係る吊下げ容器によれば、複数の容器体にそれぞれ薬剤を収納するため、より多くの薬剤を使用したり、２種類以上の薬剤を収納して複数の薬剤の効果を発揮させることができるとともに、輸送時や保管時には複数の容器体及びフック部を積み重ねてサイズを小さくして取り扱うことができる。
【発明を実施するための最良の形態】
【０００９】
以下に、本発明の第１の実施形態について添付した図面を参照して説明する。図１から図４に、本発明の第１の実施形態である吊下げ容器を示す。
この吊下げ容器１０は、２つの容器体（第１容器体２０、第２容器体３０）とこれら容器体２０、３０を吊下げ支持するためのフック部１１とを備えており、フック部１１と第１容器体２０とがフック連結部１２によって連結されるとともに、第１容器体２０と第２容器体３０とが容器体連結部１３によって連結されていて、開閉可能に構成されている。
【００１０】
第１容器体２０は、図１及び図２に示すように、円板状の底板部２１及び円筒面状をなす側面部２２を備えた本体部２３とこの本体部２３の開口部を塞ぐように配置された蓋板部２４とで構成されている。
底板部２１と蓋板部２４には、それぞれ第１容器体２０の内部と外部とを連通するスリット状の通気口２５が複数設けられており、これら底板部２１及び蓋板部２４が、内部に収納した薬剤の気化ガスが放散される放散面２６とされている。そして、この第１容器体２０には、一の薬剤として防虫剤が収納されている。
【００１１】
第２容器体３０は、前述した第１容器体２０と同形同大に形成されており、円板状の底板部３１及び円筒面状をなす側面部３２を備えた本体部３３と蓋板部３４とを有している。底板部３１と蓋板部３４には、それぞれ第２容器体３０の内部と外部とを連通する通気口３５が複数設けられ、これら底板部３１及び蓋板部３４が内部に収納した薬剤の気化ガスが放散される放散面３６とされている。そして、この第２容器体３０には、他の薬剤として消臭剤が収納されている。
【００１２】
フック部１１は、洋服タンスに横設されたロッドに掛止可能に構成されており、本実施形態においては、図１に示すように、Ｃ字状をなすように帯状体が曲げられて構成されている。なお、フック部１１を厚さ方向から見た場合には、フック部１１の大きさは、第１容器体２０及び第２容器体３０の放散面２６、３６よりも小さく構成されている。
【００１３】
フック部１１と第１容器体２０とを連結するフック連結部１２は、フック部１１の一端に凸設された回転軸部１２Ａと、第１容器体２０の端部に穿設された軸受孔１２Ｂとで構成されている。回転軸部１２Ａは、図２に示すように、フック部１１の厚さ方向に沿って延びるように形成されている。この回転軸部１２Ａを軸支する軸受孔１２Ｂは、第１容器体２０の底板部２１及び蓋板部２４（放散面２６）に対して直交して厚さ方向に貫通するように穿設されている。
回転軸部１２Ａが軸受孔１２Ｂに軸支されることで、フック部１１と第１容器体２０とは、回転軸部１２Ａを中心として互いに回転可能に連結されている。なお、軸受孔１２Ｂからの抜け防止のために、前記回転軸部１２Ａの先端部及び根元部は一段大径とされている。
【００１４】
一方、第１容器体２０と第２容器体３０とを連結する容器体連結部１３は、概略円柱状をなす軸ピン１３Ａと、第１容器体２０及び第２容器体３０の端部にそれぞれ穿設された挿通孔１３Ｂとで構成されている。
第１容器体２０及び第２容器体３０にそれぞれ設けられた挿通孔１３Ｂ、１３Ｂは、第１容器体２０の底板部２１及び蓋板部２４（放散面２６）、第２容器体３０の底板部３１及び蓋板部３４（放散面３６）に対して直交して厚さ方向に貫通するように形成されている。これら挿通孔１３Ｂ、１３Ｂに軸ピン１３Ａが挿入されることにより、第１容器体２０と第２容器体３０とは、軸ピン１３Ａを中心として互いに回転可能に連結される。なお、これら挿通孔１３Ｂ、１３Ｂからの抜け防止のために、軸ピン１３Ａの両端は一段大径とされている。
【００１５】
この吊下げ容器１０を使用する場合には、フック部１１を洋服タンス内に横設されたロッドに掛止する。すると、図１及び図２に示すように、フック部１１、第１容器体２０、第２容器体３０が段状に垂下されるように配置され、第１容器体２０の放散面２６及び第２容器体３０の放散面３６が、それぞれ外部に向けられることになる。
そして、第１容器体２０に収納された防虫剤が揮発して放散面２６から放散されるともに、第２容器体３０に収納された消臭剤が揮発して放散面３６から放散される。
【００１６】
一方、吊下げ容器１０を保管、運搬等する場合には、フック連結部１２の回転軸部１２Ａを中心にしてフック部１１と第１容器体２０とをこれらの厚さ方向と直交する方向に向けて互いに回転させることでフック部１１と第１容器体２０とが積み重なるように配置される。また、容器体連結部１３の軸ピン１３Ａを中心にしてフック部１１と第１容器体２０とをこれらの厚さ方向と直交する方向に向けて互いに回転させることで第１容器体２０と第２容器体３０とが、互いの蓋板部２４、３４を重ね合わせるようにして積み重ねられる。すなわち、本実施形態においては、これら蓋板部２４、３４が重ね合わせ面とされている。
このようにフック部１１、第１容器体２０、第２容器体３０を積み重ねることで、吊下げ容器１０は、図３に示すように、第１容器体２０及び第２容器体３０の蓋板部２４、３４（重ね合わせ面）に対向する方向から見てこれら蓋板部２４、３４（重ね合わせ面）の内側にすべてが収まるように構成される。
【００１７】
この構成の吊下げ容器１０においては、第１容器体２０及び第２容器体３０を備えていて、第１容器体２０に一の薬剤として防虫剤が収納され、第２容器体３０に他の薬剤として消臭剤が収納されているので、この吊下げ容器１０を洋服タンスのロッドに掛止しておくことで、洋服タンス内の害虫を駆除するとともに、洋服タンス内の臭いを除去することができる。
【００１８】
また、フック部１１によって吊下げ支持した際には、第１容器体２０の放散面２６及び第２容器体３０の放散面３６が外部に向けられるので、第１容器体２０に収納された防虫剤及び第２容器体３０に収納された消臭剤を効率的に放散させることができ、これら防虫剤及び消臭剤の効果を確実に奏功せしめることができる。
また、吊下げ容器１０を使用しないときには、第１容器体２０とフック部１１とを互いに積み重ねるように、かつ、第１容器体２０と第２容器体３０とを互いに積み重ねるように配置することで吊下げ容器１０のサイズを小さくすることができ、保管時や輸送時の取り扱いが容易となる。
【００１９】
さらに、フック連結部１２が、第１容器体２０及びフック部１１の厚さ方向（積み重ね方向）に延びる回転軸部１２Ａを有するとともに、容器体連結部１３が第１容器体２０及び第２容器体３０の厚さ方向に延びるように配置された軸ピン１３Ａを有しているので、フック部１１、第１容器体２０、第２容器体３０をスライドさせるように回転させることでこれらを積み重ねてサイズを小さくすることができる。
【００２０】
また、第１容器体２０と第２容器体３０とが同形同大に構成され、フック部１１がこれらの蓋板部２４、３４（重ね合わせ面）よりも小さく構成されているので、積み重ねた際に蓋板部２４、３４の中にすべてが収まるように構成され、吊下げ容器１０のサイズを確実に小さくすることができる。
【００２１】
前記実施形態においては、第１容器体２０及び第２容器体３０として全く同じ容器体を使用しており、両者を軸ピン１３Ａで連結して構成している。また、これにフック部１１を連結したものである。つまり、各容器体は同一金型を使用して成形されたものであり、目的に応じて必要数を連結して使用することが出来る。例えば、本発明の容器を配置する空間が広い場合には、同一の薬剤を収納した容器体を複数個連結して使用したり、複数種の薬剤を使用する為に、使用薬剤の種類数と同数の容器体を連結して使用することが容易に実施可能である。
【００２２】
次に、本発明の第２の実施形態について説明する。なお、第１の実施形態と同一の部材には、同一の符号を付して詳細な説明を省略する。
この吊下げ容器１０は、図５に示すように、第１容器体２０と第２容器体３０とフック部１１とを備えていて、これら第１容器体２０、第２容器体３０及びフック部１１がそれぞれヒンジ部１５で連結されていて、折り畳み可能に構成されている。
【００２３】
第１容器体２０と第２容器体３０の重ね合わせ面（蓋板部２４、３４）には、係合凸部と係合凹部とをそれぞれ設け、これら係合凸部と係合凹部とが係合することにより、これら第１容器体２０と第２容器体３０とを積み重ねた状態で固定できる構成としてもよい。
【００２４】
この吊下げ容器１０においては、ヒンジ部１５を中心にして互いに回転させることでフック部１１、第１容器体２０、第２容器体３０を積み重ねるように折り畳むことができる。一方、フック部１１で吊下げ支持する場合には、第１容器体２０の放散面２６及び第２容器体３０の放散面３６が外部に向けられるように配置される。したがって、第１の実施形態と同様の効果を奏することができる。
また、図５に示すように、フック部１１、第１容器体２０、第２容器体３０が垂直方向に並ぶように配置されるので、この吊下げ容器１０を使用する際の厚みを小さくすることができる。
【００２５】
以上、本発明の実施形態である吊下げ容器について説明したが、本発明の技術的範囲はこの範囲に限定されることはなく、本発明の技術的思想を逸脱しない範囲で適宜変更可能である。
例えば、第１容器体と第２容器体との２つの容器体を備えたものとして説明したが、これに限定されることはなく、３つ以上の容器体を備えていても良い。
また、消臭剤と防虫剤との２種類の薬剤を収納したものとして説明したが、３種類以上の薬剤を収納したものであってもよいし、１種類の薬剤を収納したものであってもよい。
【００２６】
さらに、第１容器体、第２容器体をそれぞれ概略円板状に形成したものとして説明したが、これに限定されることはなく、これら複数の容器体を積層できる形状とされていればよい。また、第１容器体、第２容器体の厚さを同一に設定したもので説明したが、厚さは異なっていてもよい。
また、放散面に、スリット状の通気口を形成したもので説明したが、通気孔を複数形成してもよい。
また、容器体の適宜の箇所に、内部に収納した薬剤の残量を確認するためのインジケータを設けてもよい。
さらに、重ね合わせ状態を維持するための、着脱可能な係止部を設けてもよい。
【産業上の利用可能性】
【００２７】
複数の薬剤を収納することができるとともに、輸送時や保管時にはサイズを小さくすることが可能な吊下げ容器を提供することができる。
【図面の簡単な説明】
【００２８】
【図１】本発明の第１の実施形態である吊下げ容器の使用状態における正面図である。
【図２】図１に示す吊下げ容器の側面断面図である。
【図３】本発明の第１の実施形態である吊下げ容器の積み重ね状態における正面図である。
【図４】図３に示す吊下げ容器の側面断面図である。
【図５】本発明の第２の実施形態である吊下げ容器の側面断面図である。
【符号の説明】
【００２９】
１０  吊下げ容器
１１  フック部
１２  フック連結部（連結部）
１２Ａ  回転軸部（回転軸）
１３  容器体連結部（連結部）
１３Ａ  軸ピン（回転軸）
２０  第１容器体（容器体）
２４  蓋板部（重ね合わせ面）
２６  放散面
３０  第２容器体（容器体）
３４  蓋板部（重ね合わせ面）
３６  放散面
【図１】
2008030828.tif 000003
【図２】
2008030828.tif 000004
【図３】
2008030828.tif 000005
【図４】
2008030828.tif 000006
【図５】
2008030828.tif 000007